【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】
被写体の画像の撮影記録を行う際に使用されるシートの識別情報を登録する識別情報登録機能および画像確認機能を備える少なくとも１台の画像情報処理装置と、
前記識別情報の登録のみを行う、前記画像確認機能のない少なくとも１台の識別情報登録専用装置と、
前記画像が撮影記録されたシートを装填し、装填されたシートから前記画像の画像情報を読み取る少なくとも１台の画像情報読取装置と、
前記少なくとも１台の画像情報処理装置、前記少なくとも１台の識別情報登録専用装置および前記少なくとも１台の画像情報読取装置をネットワーク接続する手段とを有し、
前記少なくとも１台の画像情報処理装置中の１台の画像情報処理装置は、自己の前記識別情報登録機能を使って登録された前記識別情報を持つ前記シートから前記少なくとも１台の画像情報読取装置中の１台の画像情報読取装置が読み取った画像情報を、当該画像情報読取装置から自動受信して、自己の前記画像確認機能を使って画像確認を行い、
前記少なくとも１台の識別情報登録専用装置中の１台の識別情報登録専用装置によって登録された識別情報を持つ前記シートから前記１台の画像情報読取装置が読み取った画像情報の場合には、前記画像情報処理装置は、当該識別情報を登録した前記識別情報登録専用装置を確認し、当該識別情報を自己の前記識別情報登録機能によって内部登録を行った後に、当該画像情報読取装置から前記画像情報を自動受信して、自己の前記画像確認機能を使って画像確認を行うことを特徴とする画像情報処理システム。
【請求項２】
前記画像情報読取装置は、前記装填されたシ−トからこのシ−トに付された前記識別情報を読み取って、この識別情報について前記少なくとも１台の画像情報処理装置に対してこの識別情報を登録したか否かの問い合わせを行い、この識別情報を登録した前記画像情報処理装置から登録した旨の返答を受けて、この画像情報処理装置に対して前記画像情報を配送するものであり、
前記画像情報読取装置は、いずれの画像処理装置からも前記問い合わせに対する前記登録した旨の返答がない場合には、前記少なくとも１台の画像情報処理装置中の所定の画像情報処理装置から、前記少なくとも１台の識別情報登録報専用装置に対して当該識別情報を登録したか否かの問い合わせを行わせ、
この所定の画像情報処理装置は、この識別情報を登録した前記識別情報登録報専用装置から登録した旨の返答を受けて、当該識別情報を自己の前記識別情報登録機能によって内部登録を行い、当該識別情報を登録した旨の返答を前記画像情報読取装置に返し、
この画像情報読取装置は、当該識別情報を登録した旨の返答をした前記所定の画像情報処理装置に前記画像情報を配送することを特徴とする請求項１に記載の画像情報処理システム。
【請求項３】
前記画像情報読取装置は、前記装填されたシ−トからこのシ−トに付された前記識別情報を読み取って、この識別情報について前記少なくとも１台の画像情報処理装置中の所定の画像情報処理装置に対していずれの画像情報処理装置がこの識別情報を登録したかについて問い合わせを行い、前記所定の画像情報処置装置からの返答を受けて、前記識別情報を登録した画像情報処理装置に対して前記画像情報を配送するものであり、
前記所定の画像情報処理装置は、前記識別情報を登録した場合にはその旨を、そうでない場合には他の画像情報処理装置に対して前記識別情報を登録したか否かの問い合わせを行い、当該識別情報を登録した画像情報処理装置からの返答を受けて、いずれの画像情報処理装置において登録された識別情報であるかを前記画像情報読取装置へ返答し、いずれの画像情報処理装置からも登録した旨の返答がない場合には、前記少なくとも１台の識別情報登録報専用装置に対して当該識別情報を登録したか否かの問い合わせを行い、この識別情報を登録した前記識別情報登録報専用装置から登録した旨の返答を受けて、当該識別情報を自己の前記識別情報登録機能によって内部登録を行い、当該識別情報を登録した旨の返答を前記画像情報読取装置に返すものであることを特徴とする請求項１に記載の画像情報処理システム。
【請求項４】
前記画像情報処理装置および前記識別情報登録専用装置は、前記被写体の画像が記録されるシ−トの前記識別情報に加え、この識別情報と関連付けて前記被写体およびその画像に関する情報を登録するものであり、
前記画像情報処理装置は、前記識別情報の内部登録の際に、前記識別情報を登録した前記識別情報登録専用装置から前記識別情報に関連する前記被写体およびその画像に関する情報を受け取るものであることを特徴とする請求項１〜３のいずれかに記載の画像画像情報処理システム。
【手続補正２】
【補正対象書類名】明細書
【補正対象項目名】００１６
【補正方法】変更
【補正の内容】
【００１６】
ここで、前記画像情報読取装置は、前記装填されたシ−トからこのシ−トに付された前記識別情報を読み取って、この識別情報について前記少なくとも１台の画像情報処理装置に対してこの識別情報を登録したか否かの問い合わせを行い、この識別情報を登録した前記画像情報処理装置から登録した旨の返答を受けて、この画像情報処理装置に対して前記画像情報を配送するものであり、前記画像情報読取装置は、いずれの画像処理装置からも前記問い合わせに対する前記登録した旨の返答がない場合には、前記少なくとも１台の画像情報処理装置中の所定の画像情報処理装置から、前記少なくとも１台の識別情報登録報専用装置に対して当該識別情報を登録したか否かの問い合わせを行わせ、この所定の画像情報処理装置は、この識別情報を登録した前記識別情報登録報専用装置から登録した旨の返答を受けて、当該識別情報を自己の前記識別情報登録機能によって内部登録を行い、当該識別情報を登録した旨の返答を前記画像情報読取装置に返し、この画像情報読取装置は、当該識別情報を登録した旨の返答をした前記所定の画像情報処理装置に前記画像情報を配送するのが好ましい。  
【手続補正３】
【補正対象書類名】明細書
【補正対象項目名】００１７
【補正方法】変更
【補正の内容】
【００１７】
また、前記画像情報読取装置は、前記装填されたシ−トからこのシ−トに付された前記識別情報を読み取って、この識別情報について前記少なくとも１台の画像情報処理装置中の所定の画像情報処理装置に対していずれの画像情報処理装置がこの識別情報を登録したかについて問い合わせを行い、前記所定の画像情報処置装置からの返答を受けて、前記識別情報を登録した画像情報処理装置に対して前記画像情報を配送するものであり、前記所定の画像情報処理装置は、前記識別情報を登録した場合にはその旨を、そうでない場合には他の画像情報処理装置に対して前記識別情報を登録したか否かの問い合わせを行い、当該識別情報を登録した画像情報処理装置からの返答を受けて、いずれの画像情報処理装置において登録された識別情報であるかを前記画像情報読取装置へ返答し、いずれの画像情報処理装置からも登録した旨の返答がない場合には、前記少なくとも１台の識別情報登録報専用装置に対して当該識別情報を登録したか否かの問い合わせを行い、この識別情報を登録した前記識別情報登録報専用装置から登録した旨の返答を受けて、当該識別情報を自己の前記識別情報登録機能によって内部登録を行い、当該識別情報を登録した旨の返答を前記画像情報読取装置に返すものであるのが好ましい。